(57)【要約】【課題】  表示画面上の任意の文字を拡大可能なナビゲーション装置を提供する。【解決手段】  道路地図及び文字を表示する表示手段１９の表示画面２４にタッチパネル２５が配置されたナビゲーション装置１０において、タッチパネル２５への接触位置を検知する接触位置検出手段３６と、接触位置検出手段３６により検出された接触位置に対応する表示画面２４上の文字を拡大する文字拡大手段３８とを有する。また、文字拡大手段３８は、接触位置検出手段３６によって検出されるタッチパネル２５への接触時間により、拡大される文字の拡大率を変化させることもできる。【選択図】        図１
2006038573.tif 000002
【特許請求の範囲】
【請求項１】
道路地図及び文字を表示する表示手段の表示画面にタッチパネルが配置されたナビゲーション装置において、
前記タッチパネルへの接触位置を検知する接触位置検出手段と、
前記接触位置検出手段により検出された接触位置に対応する前記表示画面上の文字を拡大する文字拡大手段とを有することを特徴とするナビゲーション装置。
【請求項２】
請求項１記載のナビゲーション装置において、前記文字拡大手段は、前記接触位置検出手段によって検出される前記タッチパネルへの接触時間により、前記拡大される文字の拡大率を変化させることを特徴とするナビゲーション装置。
【請求項３】
請求項１及び２のいずれか１項に記載のナビゲーション装置において、前記タッチパネルには、前後に隙間を有して配置された第１及び第２の透明電極が備えられ、前記接触位置検出手段は、前記第１及び第２の透明電極の接触により前記接触位置を検出することを特徴とするナビゲーション装置。
【発明の詳細な説明】
【技術分野】
【０００１】
本発明は、表示画面上の文字を拡大可能なナビゲーション装置に関する。
【背景技術】
【０００２】
従来より、車両等の位置を検出して、その車両の位置を道路地図と共に液晶モニタ等の表示手段の表示画面上に表示する車載型のナビゲーション装置が知られている。表示画面上には、地名等の文字も表示されるが、通常使用される７インチ程度の小型の表示画面では、その文字が小さくなり、視認が困難になる場合があった。そこで、例えば、特許文献１には、車両の停車中に文字や記号を拡大表示、又は代表的な文字や記号のみを表示するナビゲーション装置が開示されている。
【０００３】
【特許文献１】特開平１０−１７０２８３号公報
【発明の開示】
【発明が解決しようとする課題】
【０００４】
しかしながら、特許文献１のナビゲーション装置では、停車中には文字や記号がすべて拡大表示され、表示画面が見難くなるという問題があった。また、代表的な文字や記号のみが拡大表示されるので、必要な文字が表示されるとは限らなかった。
本発明はかかる事情に鑑みてなされたもので、表示画面上の任意の文字を拡大可能なナビゲーション装置を提供することを目的とする。
【課題を解決するための手段】
【０００５】
前記目的に沿う本発明に係るナビゲーション装置は、道路地図及び文字を表示する表示手段の表示画面にタッチパネルが配置されたナビゲーション装置において、
前記タッチパネルへの接触位置を検知する接触位置検出手段と、
前記接触位置検出手段により検出された接触位置に対応する前記表示画面上の文字を拡大する文字拡大手段とを有する。
【発明の効果】
【０００６】
本発明に係るナビゲーション装置は、タッチパネルの接触位置検出手段と、検出された接触位置に対応する文字を拡大する文字拡大手段とを有するので、表示画面上の任意の文字を拡大することができる。また、文字拡大手段によって、文字の拡大率を変化させる場合には、拡大表示する文字をタッチパネルへの接触時間により任意の拡大率で表示できる。
【発明を実施するための最良の形態】
【０００７】
続いて、添付した図面を参照しつつ、本発明を具体化した実施の形態につき説明し、本発明の理解に供する。
ここで、図１は本発明の一実施の形態に係るナビゲーション装置のブロック図、図２は同ナビゲーション装置の道路地図レイヤー、文字レイヤー、記号レイヤー、及び自車位置レイヤーの説明図、図３（Ａ）は同ナビゲーション装置の表示画面の説明図、図３（Ｂ）、（Ｃ）はそれぞれ同ナビゲーション装置の表示手段上の文字が２倍、４倍に拡大された表示画面の説明図、図４（Ａ）、（Ｂ）はそれぞれ同ナビゲーション装置のタッチパネルの側断面図、正面図である。
【０００８】
図１〜図４を参照して、本発明の一実施の形態に係るナビゲーション装置１０について説明する。
ナビゲーション装置１０は、自車（ナビゲーション装置１０が搭載されている車両）の位置（現在地）を把握したり、経路検索機能によって、現在地から目的地までの道筋、距離、及び到着時刻等を表示する装置である。以下、詳しく説明する。
【０００９】
図１に示すように、ナビゲーション装置１０は、人工衛星からの情報を受信する図示しないＧＰＳ（Global Positioning System 、全地球測位システム）アンテナを備えたＧＰＳユニット１１、及びＧＰＳアンテナで受信した情報を処理するコンピュータ１２を有し、コンピュータ１２による処理によって、自車位置を得ることができる。ナビゲーション装置１０は、車両の動き及び傾きを検知するジャイロセンサー１３及び車両の速度を測定する車速センサー１４を有し、ジャイロセンサー１３及び車速センサー１４からの情報をコンピュータ１２によって処理することにより、自車位置の測定精度をより高めている。
【００１０】
ＧＰＳユニット１１、ジャイロセンサー１３、及び車速センサー１４によって自車位置測定部１５が構成されている。なお、自車位置測定部は、ＦＭ多重放送を利用して位置情報を補正するＤ−ＧＰＳ、及び道路に設置されたビーコンから発せられる情報データを元に位置情報を補正するＶＩＣＳのいずれか一方又は双方を併用して、自車位置の測定精度を更に高めてもよい。
【００１１】
ナビゲーション装置１０は、（１）道路を表す道路データ、河川や海等を表す水系データ、及び建物や陸地等を表す陸地データを含む道路地図情報と、（２）地名、交差点名及び施設名等を表す文字情報と、（３）建物（例えば、コンビニエンスストア、レストラン、銀行、及びガソリンスタンド）や道路標識等を示す記号情報とを含むナビゲーション情報が記録された記憶媒体の一例であるＤＶＤ−ＲＯＭ１６を有している。また、ナビゲーション装置１０は、ＤＶＤ−ＲＯＭ１６から情報を読み取得する情報取得手段の一例であるＤＶＤドライブ１７を有している。ＤＶＤ−ＲＯＭ１６及びＤＶＤドライブ１７によって地図情報取得部１８が構成される。
【００１２】
なお、記憶媒体としては、ナビゲーション情報が記憶されているＣＤ−ＲＯＭ、ハードディスク、又はメモリーカードを使用してもよく、また、携帯電話等の通信手段によってナビゲーション情報を受信可能な車外に設置されたサーバであってもよい。
更に、ナビゲーション装置１０は、ナビゲーション情報に基づく、道路地図、文字、及び記号を表示する表示手段の一例である液晶モニタ１９を有している。
【００１３】
液晶モニタ１９は、例えば、７Ｖ型ワイドＴＦＴカラー液晶の表示画面２４を備えている。また、表示画面２４の総画素数は、例えば、３３６９６０画素であり、縦が４６８画素、横が７２０画素となっている。ここで、表示画面２４の左下の点を座標（０，０）とし、右上の点を座標（４６７，７１９）とする。なお、表示手段としては、ブラウン管を使用したモニタでもよい。
【００１４】
図２に示すように、コンピュータ１２は、地図情報取得部１８から得られたナビゲーション情報、すなわち、道路地図情報、文字情報、及び記号情報を基に、道路地図レイヤー２０、文字レイヤー２１、及び記号レイヤー２２を作成すると共に、自車位置測定部１５から得られた自車位置の情報を基に自車位置ａを表す記号、例えば、本実施の形態では車両の進行方向が鋭角となった三角形が描画された自車位置レイヤー２３を作成する。
【００１５】
次に、コンピュータ１２は、道路地図レイヤー２０、記号レイヤー２２、文字レイヤー２１、及び自車位置レイヤー２３の順にそれぞれの座標の位置関係が対応するように下から合成し、図３（Ａ）に示すように液晶モニタ１９の表示画面２４に表示する。なお、上部のレイヤーの記号又は文字は、下部のレイヤーを不可視とする。例えば、記号レイヤー２２及び文字レイヤー２１にそれぞれ表示される記号と文字とが重なった際には、記号の上に文字が配置されるので、文字を優先的に表示することができる。また、表示画面２４では、道路及び建物を平面的又は立体的に表示してもよい。
【００１６】
液晶モニタ１９の表示画面２４には、タッチパネル２５が配置されている。図４（Ａ）、（Ｂ）に示すように、タッチパネル２５は、液晶モニタ１９の表示画面２４の前面に配置される後部マイクロガラス板２６と、後部マイクロガラス板２６に所定の隙間を有して対向配置される前部マイクロガラス板２７を有している。
【００１７】
前部マイクロガラス板２７の背面には第１の透明電極２８が、後部マイクロガラス板２６の前面には第２の透明電極２９が、隙間を有して配置されている。また、第２の透明電極２９の前面には、例えば、縦に１０個、横に１８個のドットスペーサー３０が設けられている。更に、第１の透明電極２８には、正面視して、その上部及び下部にそれぞれ第１及び第２の引き回し電極３１、３２が設けられ、第２の透明電極２９には、正面視して、その左側及び右側にそれぞれ第３及び第４の引き回し電極３３、３４が設けられている。
【００１８】
タッチパネル２５は、前部マイクロガラス板２７及び後部マイクロガラス板２６の内側周囲に配置されるシール材３５によって固定されている。なお、タッチパネルは、特開平９−５０２３５号公報に記載されているように、表示画面の水平方向及び垂直方向にそれぞれ対向配置された発光ダイオードとフォトダイオードによって構成される光学式のものであってもよく、静電容量を利用するもの、又は抵抗値の変化を利用するものであってもよい。
【００１９】
ここで、タッチパネル２５の前部マイクロガラス板２６の前面から圧力を受ける（タッチされる）と、タッチされた位置（タッチ位置）の近傍のドットスペーサー３０のいずれか１つ、例えば、座標（３９０、２１０）にあるドットスペーサー３０ａを介して、第１及び第２の透明電極２８、２９が接触する。この際に、第１及び第２の透明電極２８、２９が接触する接触位置（３９０、２１０）にあるドットスペーサー３０ａを介して流れる電流は、第１〜第４の引き回し電極３１〜３５を介して、コンピュータ１２内に設けられた接触位置を検知する接触位置検出手段３６に送られる。接触手段検出手段３６によって、タッチパネル２５上の接触位置が検出される。
【００２０】
コンピュータ１２は、接触位置検出手段３６によって検出された接触位置（３９０，２１０）に対応する液晶モニタ１９の表示画面２４上に文字があるか否かを検出する文字検出手段３７を有している。文字検出手段３７は、接触位置検出手段３６によって検出された接触位置（３９０，２１０）と、文字レイヤー２１上の文字の位置とを比較する。コンピュータ１２内には、接触位置（ｘ，ｙ）及びその近傍（ｘ±４０，ｙ±２０）に文字がある場合に、この文字を拡大して表示画面２４に表示する文字拡大手段３８が設けられている。したがって、文字拡大手段３８によって、座標（３９０±４０，２１０±２０）の範囲内にある文字、すなわち、「交差点ｂ」が拡大表示される。なお、文字検出手段３７による文字の検出の範囲は、座標（ｘ±４０，ｙ±２０）に限らず、他の文字と混同しない程度に広くても狭くても構わない。
【００２１】
ここで、ＤＶＤ−ＲＯＭ１６には、文字情報として「交差点ｂ」等の文字が、それぞれ予め所定の大きさに拡大されたデータが記憶されている。文字検出手段３７によって検出された文字は、文字拡大手段３８によって、所定の拡大率のデータをＤＶＤ−ＲＯＭ１６から読み出して、表示画面２４に表示する。更に、文字拡大手段３８には、接触位置検出手段３６によって検出されるタッチパネル２５への接触時間を測定する図示しないタイマーが設けられ、タイマーにより計測される接触時間によって拡大される文字の拡大率を変化させることができる。この場合、使用者の見易い拡大率まで、文字を拡大することができる。更に、接触時間による文字の拡大率を使用者が決めるようにしてもよい。
【００２２】
なお、文字拡大手段３８は、タッチパネル２５への接触時間による文字の拡大率を変化させずに、使用者が予め文字の拡大率を設定し、その拡大率で表示画面２４上に文字を表示させる文字拡大率設定機能を設けてもよい。この場合には、使用者がタッチパネル２５を１度タッチするだけで、文字を見易い大きさに拡大することができる。また、文字検出手段３７によって検出された文字を表示画面２４いっぱいに拡大表示してもよい。
【００２３】
また、ナビゲーション装置１０は、ナビゲーション装置１０の操作を行う入力装置である無線式のリモコン３９を有し、コンピュータ１２にはリモコン３９からの操作信号を受信する受信部４０が設けられている。なお、リモコンは有線式でもよく、タッチパネル２５によって、すべての操作を行う場合には、リモコンは必要とはしない。また、ナビゲーション装置１０には、音声によって車両の進行方向（例えば、右折、又は左折等）を案内する図示しない音声案内機能も設けられている。
【００２４】
次に、図３（Ａ）〜（Ｃ）を参照して、ナビゲーション装置１０の使用方法について説明する。
（１）まず、ナビゲーション装置１０の液晶モニタ１９の表示画面２４は、図３（Ａ）の状態にある。
【００２５】
（２）ここで、表示画面２４上の文字、例えば、「交差点ｂ」をタッチパネル２５の前面からタッチする。この場合には、「交差点ｂ」の近傍、すなわち座標（３９０，２１０）にあるドットスペーサー３０ａを介して、第１及び第２の透明電極２８、２９が接触し、第１〜第４の引き回し電極３１〜３４から電流が接触位置検出手段３６に送られる。接触位置検出手段３６は、ドットスペーサー３０ａの近傍のタッチパネル２５が圧力を受けたことを認識する。
【００２６】
（３）文字検出手段３７は、接触位置検出手段３６によって得られた接触位置（３９０，２１０）の近傍、すなわち、座標（３９０±４０，２１０±２０）内に、文字があるか否かを文字レイヤー２１を基に検出し、「交差点ｂ」の文字があることを確認する。
（４）文字拡大手段３８は、図３（Ｂ）に示すように、「交差点ｂ」の文字を２倍に拡大したデータをＤＶＤ−ＲＯＭ１６から読み込み、１倍の「交差点ｂ」の文字を２倍の「交差点ｂ」の文字に置き換えて、表示画面２４に表示する。
【００２７】
（５）文字拡大手段３８のタイマーによって、タッチパネル２５のドットスペーサー３０ａが接触した時間が、２秒間を超えたのを検知した場合、文字拡大手段３８は、図３（Ｃ）に示すように、「交差点ｂ」の文字を４倍に拡大したデータをＤＶＤ−ＲＯＭ１６から読み込み、２倍の「交差点ｂ」の文字を４倍の「交差点ｂ」の文字に置き換えて、表示画面２４に表示する。
【００２８】
（６）更に、１秒間のタッチパネル２５のドットスペーサー３０ａへの接触が続くと、図３（Ａ）に示すように、「交差点ｂ」の文字を１倍に戻し、更に１秒後には２倍に、また更に１秒後に４倍に拡大し、タッチパネル２５のドットスペーサー３０ａへの接触が続く限り、これを繰り返すようになっている。タッチパネル２５への接触を検知しなくなった場合には、その拡大率が確定し、その大きさで「交差点ｂ」の文字を表示する。
【００２９】
また、ドットスペーサー３０ａが接触した後、他のドットスペーサー３０の近傍でタッチパネル２５をタッチした場合には、「交差点ｂ」の文字を１倍に戻し、接触した他のドットスペーサー３０の位置に文字があるか否かを、文字検出手段３７が検知して、その位置の文字を同様に拡大する。
【００３０】
なお、文字の拡大率を一定の値（例えば、２倍）とし、時間による拡大率を変化させなくてもよい。ナビゲーション装置１０では、接触時間による文字の拡大率を、接触した際に２倍、更に２秒後に４倍とし、以降、１秒毎に、１倍、２倍、４倍となるように繰り返しているが、時間に対応する文字の拡大率をいろいろ変化させてもよい。
【００３１】
本発明は、前記した実施の形態に限定されるものではなく、本発明の要旨を変更しない範囲での変更は可能であり、例えば、前記した実施の形態や変形例の一部又は全部を組み合わせて本発明のナビゲーション装置を構成する場合も本発明の権利範囲に含まれる。
例えば、前記実施の形態のナビゲーション装置において、タッチパネル上の文字をタッチした際に、音声によって案内してもよい。また、タッチパネル上の記号をタッチした際に、記号を拡大するようにしてもよい。
【図面の簡単な説明】
【００３２】
【図１】本発明の一実施の形態に係るナビゲーション装置のブロック図である。
【図２】同ナビゲーション装置の道路地図レイヤー、文字レイヤー、記号レイヤー、及び自車位置レイヤーの説明図である。
【図３】（Ａ）は同ナビゲーション装置の表示画面の説明図、（Ｂ）、（Ｃ）はそれぞれ同ナビゲーション装置の表示手段上の文字が２倍、４倍に拡大された表示画面の説明図である。
【図４】（Ａ）、（Ｂ）はそれぞれ同ナビゲーション装置のタッチパネルの側断面図、正面図である。
【符号の説明】
【００３３】
１０：ナビゲーション装置、１１：ＧＰＳユニット、１２：コンピュータ、１３：ジャイロセンサー、１４：車速センサー、１５：自車位置測定部、１６：ＤＶＤ−ＲＯＭ、１７：ＤＶＤドライブ、１８：地図情報取得部、１９：液晶モニタ、２０：道路地図レイヤー、２１：文字レイヤー、２２：記号レイヤー、２３：自車位置レイヤー、２４：表示画面、２５：タッチパネル、２６：後部マイクロガラス板、２７：前部マイクロガラス板、２８：第１の透明電極、２９：第２の透明電極、３０、３０ａ：ドットスペーサー、３１：第１の引き回し電極、３２：第２の引き回し電極、３３：第３の引き回し電極、３４：第４の引き回し電極、３５：シール材、３６：接触位置検出手段、３７：文字検出手段、３８：文字拡大手段、３９：リモコン、４０：受信部
【図１】
2006038573.tif 000003
【図２】
2006038573.tif 000004
【図３】
2006038573.tif 000005
【図４】
2006038573.tif 000006